(57)【特許請求の範囲】
【請求項１】
胴縁の屋外側面の一方の側端部にバックアップ凸部を形成し、建物躯体にサッシ枠を取り付け、建物躯体の屋外側に胴縁を取り付け、胴縁の屋外側に外壁材を取り付けると共に外壁材とサッシ枠との間に胴縁のバックアップ凸部を位置し、バックアップ凸部の高さ寸法をこのバックアップ凸部の頂面が外壁材の表面と裏面との間に位置するように形成し、バックアップ凸部の屋外側において外壁材とサッシ枠との間にシーリング材を充填して成り、胴縁の屋外側面に胴縁のバックアップ凸部とは逆側の側端面に開口して形成される固定具収納凹部を設け、この固定具収納凹部に設けられる固定具の頭部が固定具収納凹部に収容されて成ることを特徴とするサッシ周りの納め構造。
【請求項２】
外壁材の表面に凸柄と凹目地とで構成される凹凸模様が形成されていると共に、バックアップ凸部の高さ寸法をこのバックアップ凸部の頂面が凹目地の目地底と外壁材の裏面との間に位置するように形成されていることを特徴とする請求項１に記載のサッシ周りの納め構造。
【請求項３】
胴縁の屋内側面にフィン収納凹部を設け、サッシ枠の外周に突設するフィンを建物躯体の屋外側面に配置してサッシ枠を建物躯体に取り付け、建物躯体の屋外側に胴縁を取り付けると共に胴縁のフィン収納凹部にサッシ枠のフィンを収納して成ることを特徴とする請求項１又は２に記載のサッシ周りの納め構造。
【請求項４】
胴縁の短辺側端面と他の胴縁の長辺側端面とを突き合わせることにより、複数本の胴縁を四角枠状に配置して成ることを特徴とする請求項１乃至３のいずれか一項に記載のサッシ周りの納め構造。
【請求項５】
胴縁の端面をその長手方向に対して略４５°に傾けて形成し、胴縁の端面と他の胴縁の端面とを突き合わせることにより、複数本の胴縁を四角枠状に配置して成ることを特徴とする請求項１乃至３のいずれか一項に記載のサッシ周りの納め構造。
【発明の詳細な説明】
【技術分野】
【０００１】
本発明は、建物の開口部に取り付けられるサッシの周囲の納め構造に関するものである。
【背景技術】
【０００２】
従来より、サッシ周りの納め構造としては各種のものが提案されている（例えば、特許文献１参照）。図１０は従来のサッシ周りの納め構造の一例を示す。４は柱などの建物躯体であって、建物躯体４の側方にサッシ枠５が配設されている。サッシ枠５の内側には引き戸などが取り付けられる。また、サッシ枠５の外周には防水性確保などのためにフィン６が全周にわたって突設されている。このフィン６は建物躯体４の屋外側面に接触させて配置されている。また、建物躯体４の屋外側面には縦方向に長い胴縁１が設けられている。この胴縁１は外壁材７を取り付けるためのものであり、ビスなどの固定具２０で固定されている。このとき、図１０（ａ）に示すように、建物躯体４の屋外側面には胴縁１の取り付け前にフィン６が配置されているために、胴縁１はフィン６の屋外側に重ねて取り付けるようにしている。この後、胴縁１の屋外側面に外壁材支持具２１を固定具２２で取り付けると共に胴縁１の屋外側面にはバックアップ部材２３を取り付ける。バックアップ部材２３には支持部２４が突設されており支持部２４をサッシ枠５の外周面に沿わせて配設している。次に、胴縁１の屋外側に外壁材７を配設する。このとき外壁材７は外壁材支持具２１により支持されて胴縁１に取り付けられる。また、外壁材７の端面とサッシ枠５との間にはバックアップ部材２３の支持部２４が配設されている。この後、支持部２４の屋外側において外壁材７の端面とサッシ枠５の外周面との間にシーリング材８を充填する。また、図１０（ｂ）（ｃ）に示すように、サッシ枠５の上側と下側に外壁材７を取り付けるにあたっては、建物躯体４の屋外側面に横方向に長い胴縁１を配設してビス等の固定具２５で固定し、この胴縁１の屋外側面にスペーサ２６を配設し、このスペーサ２６の屋外側に外壁材７を配置してビス等の固定具２７で固定するようにする。また、外壁材７の上端又は下端とサッシ枠５の外周面との間にバックアップ部材２８を設けると共に、バックアップ部材２８の屋外側において、外壁材７の上端又は下端とサッシ枠５の外周面との間にシーリング材８を充填する。このようにしてサッシ枠５と外壁材７とを取り付けることができる。
【特許文献１】特許第２６７８８８３号公報
【発明の開示】
【発明が解決しようとする課題】
【０００３】
しかし、上記の従来例では、シーリング８を支持するためのバックアップ部材２３が必要であり、部品点数及び施工の手間が増加することによりコストアップになるという問題があった。
【０００４】
本発明は上記の点に鑑みてなされたものであり、コストダウンを図ることができるサッシ周りの納め構造を提供することを目的とするものである。
【課題を解決するための手段】
【０００５】
本発明の請求項１に係るサッシ周りの納め構造は、胴縁１の屋外側面の一方の側端部にバックアップ凸部３を形成し、建物躯体４にサッシ枠５を取り付け、建物躯体４の屋外側に胴縁１を取り付け、胴縁１の屋外側に外壁材７を取り付けると共に外壁材７とサッシ枠５との間に胴縁１のバックアップ凸部３を位置し、バックアップ凸部３の高さ寸法をこのバックアップ凸部３の頂面が外壁材７の表面と裏面との間に位置するように形成し、バックアップ凸部３の屋外側において外壁材７とサッシ枠５との間にシーリング材８を充填して成り、胴縁１の屋外側面に胴縁１のバックアップ凸部３とは逆側の側端面に開口して形成される固定具収納凹部９を設け、この固定具収納凹部９に設けられる固定具２０の頭部が固定具収納凹部９に収容されて成ることを特徴とするものである。
また、本発明の請求項２に係るサッシ周りの納め構造は、請求項１において、外壁材７の表面に凸柄と凹目地とで構成される凹凸模様が形成されていると共に、バックアップ凸部３の高さ寸法をこのバックアップ凸部３の頂面が凹目地の目地底と外壁材７の裏面との間に位置するように形成されていることを特徴とするものである。
【０００６】
本発明の請求項３に係るサッシ周りの納め構造は、請求項１又は２において、胴縁１の屋内側面にフィン収納凹部２を設け、サッシ枠５の外周に突設するフィン６を建物躯体４の屋外側面に配置してサッシ枠５を建物躯体４に取り付け、建物躯体４の屋外側に胴縁１を取り付けると共に胴縁１のフィン収納凹部２にサッシ枠５のフィン６を収納して成ることを特徴とするものである。
【０００８】
本発明の請求項４に係るサッシ周りの納め構造は、請求項１乃至３のいずれか一項において、胴縁１の短辺側端面１１と他の胴縁１の長辺側端面１２とを突き合わせることにより、複数本の胴縁１、１…を四角枠状に配置して成ることを特徴とするものである。
【０００９】
本発明の請求項５に係るサッシ周りの納め構造は、請求項１乃至３のいずれか一項において、胴縁１の端面１０をその長手方向に対して略４５°に傾けて形成し、胴縁１の端面１０と他の胴縁１の端面１０とを突き合わせることにより、複数本の胴縁１、１…を四角枠状に配置して成ることを特徴とするものである。
【発明の効果】
【００１０】
請求項１の発明では、バックアップ凸部３を外壁材７とサッシ枠５との間に位置させた状態でシーリング材８を充填することができ、防水性低下を防止することができる。また、胴縁１にバックアップ凸部３を一体に設けることによって、別途バックアップ部材が不要となり、部品点数や施工の手間を軽減してコストダウンを図ることができるものである。また、固定具収納凹部９に固定具２０を収納した状態で胴縁１を建物躯体４に取り付けることができ、固定具２０により外壁材７が傾いて取り付けられるのを防止することができるものである。
【００１１】
請求項３の発明では、胴縁１のフィン収納凹部２にサッシ枠５のフィン６を収納して胴縁１を建物躯体４の屋外側面に取り付けることができ、胴縁１を建物躯体４の屋外側面に対して傾かないように取り付けることができる。従って、胴縁１に取り付けられる外壁材７も傾かないようにすることができ、外壁の外観低下を防止することができるものである。
【００１３】
請求項４の発明では、胴縁１、１の突き合わせ部分に隙間が生じにくくなり、防水性を向上させることができるものである。
【００１４】
請求項５の発明では、施工を容易に行うことができるものである。
【発明を実施するための最良の形態】
【００１５】
以下、本発明を実施するための最良の形態を説明する。
【００１６】
本発明で用いる胴縁１は発泡ポリスチレンなどの合成樹脂成形品であって、厚み１２〜３０ｍｍで短手方向の寸法（幅寸法）４５〜１２０ｍｍの長尺の板状材を用いることができる。合成樹脂成形品とすることにより、耐水性を確保することができ、また大量生産を可能とするものである。図２（ａ）に示すように、胴縁１の裏面（屋内側面）にはフィン収納凹部２が胴縁１の長手方向の全長にわたって形成されている。このフィン収納凹部２は胴縁１の一方の側端面１ａに開口して設けられている。また、フィン収納凹部２はサッシ枠５のフィン６の厚みよりも深く形成されている。さらに、胴縁１の表面（屋外側面）にはバックアップ凸部３が胴縁１の長手方向の全長にわたって形成されている。バックアップ凸部３は胴縁１の上記一方の側端面１ａ側に寄せて形成しており、上記一方の側端面１ａの上端に沿って形成されている。また、バックアップ凸部３の頂面（屋外側面）が、外壁材７の表面（屋外側面）に凹凸模様（凸柄と凹目地）を有する場合に、凹目地の目地底と裏面（屋内側面）との間に位置するように、バックアップ凸部３の高さ寸法を形成するようにする。また、外壁材７の表面がフラットな場合は、バックアップ凸部３の頂面が外壁材７の表面の位置と裏面との間に位置するように、バックアップ凸部３の高さ寸法を形成する。また、バックアップ凸部３の頂面にはシーリング材８の三面接着を防止する目的で発泡ポリエチレン製などの接着防止材３０を添付することができる。尚、接着防止材３０は塗料やテープ材などで形成することができる。また、図２（ｂ）に示すように、フィン収納凹部２は必ずしも必要でなく、胴縁１の屋内側面は平坦面であっても良い。この場合においては、建物躯体４側にサッシ枠５のフィン６を収納する凹所を形成することなどで、胴縁１を傾くことなく施工することができる。
【００１７】
そして、上記の胴縁１を用いてサッシ周りの納まりを施工するにあたっては、次のようにして行う。まず、柱などの建物躯体４の側方にサッシ枠５を配設する。サッシ枠５の内側には引き戸などが取り付けられる。また、サッシ枠５の外周には防水性確保などのためにフィン６が全周にわたって突設されているが、このフィン６は建物躯体４の屋外側面に接触させて配置する。次に、建物躯体４の屋外側面に縦方向に長い上記の胴縁１を取り付ける。胴縁１はビスなどの固定具２０で固定することができる。また、建物躯体４の屋外側面には胴縁１の取り付け前にフィン６が配置されているので、胴縁１はそのフィン収納凹部２にフィン６を収納するようにして取り付けるようにする。これにより、胴縁１がフィン６により傾かないようにすることができる。上記の従来例では、建物躯体４と縦方向に長い胴縁１との間にサッシ枠５のフィン６が介在するために、胴縁１が傾いて取り付けられることがあり、このため、外壁材７も傾いて取り付けられて外壁の外観が低下するという問題があった（図１０（ａ）において二本の矢印が平行でない）。そこで、図１１に示すように、建物躯体４と胴縁１との間にフィン６が介在しないように、胴縁１の取り付け位置をずらすことが考えられるが、この場合、バックアップ部材２３などの納まり部材を胴縁１に取り付けることができず、防水性低下などの問題が生じるおそれがあった。しかし、本発明では、フィン収納凹部２にフィン６を収納して胴縁１を取り付けるので、胴縁１を建物躯体４の屋外側面に対して傾かないように取り付けることができると共にバックアップ凸部３を外壁材７とサッシ枠５との間に位置させた状態でシーリング材８を充填することができ、外壁の外観低下や防水性低下の発生を防止することができる。
【００１８】
この後、胴縁１の屋外側面に外壁材支持具２１を固定具２２で取り付ける。次に、胴縁１の屋外側に外壁材７を配設する。このとき、外壁材７は外壁材支持具２１により支持されて胴縁１に取り付けられる。尚、外壁材支持具２１を用いずに、ビス等の固定具で外壁材７を胴縁１に取り付けるようにしても良い。外壁材７としてはサイディング材などの窯業系の無機質板などを用いることができる。また、外壁材７の端面とサッシ枠５との間には胴縁１のバックアップ凸部３が配置される。この後、バックアップ凸部３に貼付した接着防止材３０の屋外側において外壁材７の端面とサッシ枠５の外周面との間にシーリング材８を充填する。また、サッシ枠５の上側と下側に外壁材７を取り付けるにあたっては、建物躯体４の屋外側面に横方向に長い胴縁１を配設してビス等の固定具２５で固定し、この胴縁１の屋外側面にスペーサ２６を配設し、このスペーサ２６の屋外側に外壁材７を配置してビス等の固定具２７で固定するようにする。また、外壁材７の上端又は下端とサッシ枠５の外周面との間に上記横方向の胴縁１のバックアップ凸部３を配置し、このバックアップ凸部３の屋外側において、外壁材７の上端又は下端とサッシ枠５の外周面との間にシーリング材８を充填する。このようにしてサッシ枠５と外壁材７とを取り付けることができる。
【００１９】
図３に他の実施の形態を示す。このサッシ周りの納め構造では、胴縁１を上記図２のものよりも厚く形成し、その屋外側面をスペーサ部３１として形成したものであり、その他の構成は上記図１に示す実施の形態と同様である。この場合、図４（ａ）（ｂ）に示すように、スペーサ部３１に外壁材７を配置することができ、胴縁１の他に別体のスペーサが不要となり、部品点数を減らしてコストダウンを図ることができるものである。尚、図３（ｂ）に示すように、フィン収納凹部２は必ずしも必要でなく、胴縁１の屋内側面は平坦面であっても良い。
【００２０】
図５に本発明の実施の形態を示す。このサッシ周りの納め構造では、胴縁１として固定具収納凹部９を設けたものであり、その他の構成は上記図３に示す実施の形態と同様である。図６（ａ）（ｂ）に示すように、この胴縁１は建物躯体４に固定する際の固定具２０の頭部を固定具収納凹部９に収納して胴縁１の屋外側面に突出しないようにすることができ、固定具２０の頭部で外壁材７が傾かないようにすることができるものである。尚、図５（ｂ）に示すように、フィン収納凹部２は必ずしも必要でなく、胴縁１の屋内側面は平坦面であっても良い。
【００２１】
上記のようにして胴縁１を取り付ける場合、開口部の形状に合わせて複数本の胴縁１、１…を並べて枠状に組むようにする。
【００２２】
図７に示す場合では、四本の胴縁１、１…を四角枠状に組んで配設している。すなわち、開口部の寸法に応じて、必要な長さに胴縁１を切断するが、このとき、図７（ｂ）に点線で示すように、胴縁１の長手方向に対して略直角でカットするようにしている。次に、サッシ枠５よりも上側に配置する横方向に長い胴縁１は、その両端において、バックアップ凸部３を除去する。また、サッシ枠５の両方の側方に配置する縦方向に長い胴縁１は、その下端において、バックアップ凸部３を除去する。尚、図８（ａ）（ｂ）において、バックアップ凸部３の除去部分を斜線で示す。この後、上記のようにして胴縁１を建物躯体４に固定具２０で取り付けるが、このとき、図７（ｃ）及び図８（ａ）（ｂ）に示すように、横方向に長い上側の胴縁１の側端部の下面に、縦方向に長い側方の胴縁１の上端面を突き合わせるようにし、また、縦方向に長い側方の胴縁１の下端部の側面に、横方向に長い下側の胴縁１の側端面を突き合わせるようにする。このようにして、胴縁１の短辺側端面１１とこれに隣接する他の胴縁１の長辺側端面１２とを突き合わせるようにする。この後、上記のようにしてバックアップ凸部３の側面に外壁材７の端面を突き当てて外壁材７を配置した後、外壁材支持具２１又は固定具で胴縁１に固定する。次に、上記のようにして、バックアップ凸部３の接着防止材３０の屋外側において、外壁材７の端面とサッシ枠５の外周面との間にシーリング材８を充填する。この実施の形態は後述の図９のものに比べて胴縁１、１の突き合わせ部分に隙間が生じにくくなり、防水性を向上させることができる。また、図８に示すように外壁材７の裏面側に浸入した雨水Ｒは、突き合わせ部分で滞留することなく矢印のように流れ落ちるため、建物躯体４側への浸入を効果的に防止することができる。
【００２３】
図９に他の実施の形態を示す。この実施の形態においても、四本の胴縁１、１…を四角枠状に組んで配設している。このような胴縁１を組み立てるにあたっては、まず、開口部の寸法に応じて、必要な長さに胴縁１を切断する。このとき、図９（ｂ）に点線で示すように、胴縁１の長手方向に対して約４５°の角度でカットすることにより、胴縁１の長手方向の端面１０を傾斜面とする。次に、上記のようにして胴縁１を建物躯体４に固定具２０で取り付けるが、このとき、図９（ｃ）に示すように、隣接する胴縁１、１の端面１０、１０同士を突き合わせるようにする。また、防水性を固めるために端面１０、１０同士を接着するなどしても良い。次に、上記のようにしてバックアップ凸部３の側面に外壁材７の端面を突き当てて外壁材７を配置した後、外壁材支持具２１又は固定具で胴縁１に固定する。次に、上記のようにして、バックアップ凸部３の接着防止材３０の屋外側において、外壁材７の端面とサッシ枠５の外周面との間にシーリング材８を充填する。この実施の形態は上記の図７のものに比べて、バックアップ凸部３の除去作業が不要となり、施工を容易に行うことができる。
【図面の簡単な説明】
【００２４】
【図１】本発明の参考の形態の一例を示し、（ａ）は一部の拡大した断面図、（ｂ）は概略の断面図、（ｃ）は一部の拡大した断面図である。
【図２】同上の胴縁の一例を示し、（ａ）（ｂ）は断面図である。
【図３】同上の他の参考の形態の胴縁の一例を示し、（ａ）（ｂ）は断面図である。
【図４】同上の他の参考の形態の一例を示し、（ａ）は概略の断面図、（ｂ）は一部の拡大した断面図である。
【図５】本発明の実施の形態の胴縁の一例を示し、（ａ）（ｂ）は断面図である。
【図６】同上の他の実施の形態の一例を示し、（ａ）は概略の断面図、（ｂ）は一部の拡大した断面図である。
【図７】同上の胴縁の一例を示し、（ａ）は断面図、（ｂ）は正面図、（ｃ）は施工した状態を示す正面図である。
【図８】（ａ）は図７（ｃ）のロ部分を示す拡大図、（ｂ）は図７（ｃ）のハ部分を示す拡大図である。
【図９】同上の胴縁の他例を示し、（ａ）は断面図、（ｂ）は正面図、（ｃ）は施工した状態を示す正面図である。
【図１０】従来例を示し、（ａ）〜（ｃ）は断面図である。
【図１１】他の従来例を示す断面図である。
【符号の説明】
【００２５】
１  胴縁
２  フィン収納凹部
３  バックアップ凸部
４  建物躯体
５  サッシ枠
６  フィン
７  外壁材
８  シーリング材
９  固定具収納凹部
１０  端面
１１  短辺側端面
１２  長辺側端面
２０  固定具
【図１】
0005243820.tif 000002
【図２】
0005243820.tif 000003
【図３】
0005243820.tif 000004
【図４】
0005243820.tif 000005
【図５】
0005243820.tif 000006
【図６】
0005243820.tif 000007
【図７】
0005243820.tif 000008
【図８】
0005243820.tif 000009
【図９】
0005243820.tif 000010
【図１０】
0005243820.tif 000011
【図１１】
0005243820.tif 000012